(57)【要約】      （修正有）【課題】ハンドセットを電話器に載置する際の、ハンドセットによる壁掛チップへの加圧または壁掛チップからの抗力による、壁掛チップ又はハンドセットの破損を防止する、壁掛け電話器のハンドセット保持構造を提供する。【解決手段】電話機本体の筐体１は、ハンドセット２を電話機本体に載置する際のハンドセットの加圧によって、壁掛チップ３の先端部３ｂが電話機本体の筐体内側に引っ込む方向に回転移動し、ハンドセットを電話機本体に載置した状態において、スプリング４または板バネの加圧によって、壁掛チップの先端部が電話機本体の筐体から突出する方向に回転移動する構造である。【選択図】図５
0003187379.tif 000002
【実用新案登録請求の範囲】
【請求項１】
電話機本体を壁に掛けて使用する電話機本体に載置するハンドセットの保持構造であって、
前記電話機本体の筐体は、前記ハンドセットを保持する部位に、前記ハンドセットの落下を防止する壁掛チップと、自筐体に前記壁掛チップを回転自在に取り付ける壁掛チップ取付軸と、前記壁掛チップ取付軸を支点として、前記ハンドセットを保持する前記壁掛チップの先端部を自筐体から突出する方向に加圧するスプリングまたは板バネと、を有し、
前記ハンドセットは、前記壁掛チップと係合する部位に、前記壁掛チップの先端部を受け入れる孔である壁掛チップ受入孔を有し、
前記ハンドセットを前記電話機本体に載置する際の前記ハンドセットの加圧によって、前記壁掛チップの先端部が前記電話機本体の筐体内側に引っ込む方向に前記壁掛チップが回転移動し、
前記ハンドセットを前記電話機本体に載置した状態において、前記スプリングまたは板バネの加圧によって、前記壁掛チップの先端部が前記電話機本体の筐体から突出する方向に前記壁掛チップが回転移動する構造であることを特徴とする壁掛け電話機のハンドセット保持構造。
【考案の詳細な説明】
【技術分野】
【０００１】
本考案は、壁に掛けられた電話機に載置されるハンドセットの保持構造に関する。
【背景技術】
【０００２】
従来、壁掛け時のハンドセット保持構造として、壁掛けで使用する際に電話機に載置されたハンドセットの脱落を防止する壁掛チップでハンドセットを保持する構造が知られている（例えば、特許文献１）。
【０００３】
しかしながら、前記特許文献１に記載されたハンドセットの保持構造の場合、ハンドセットを電話機に載置する際に、ハンドセットによる壁掛チップへの加圧または壁掛チップからの抗力により、壁掛チップまたはハンドセットが破損する恐れがあった。
【先行技術文献】
【特許文献】
【０００４】
【特許文献１】特開２０００−２７８３７８号公報
【考案の概要】
【考案が解決しようとする課題】
【０００５】
そこで、本考案の課題は、ハンドセットを電話機に載置する際の、ハンドセットによる壁掛チップへの加圧または壁掛チップからの抗力による、壁掛チップまたはハンドセットの破損を防止する、壁掛け電話機のハンドセット保持構造を提供することにある。
【課題を解決するための手段】
【０００６】
上記の課題を解決するために、本考案は、電話機本体を壁に掛けて使用する電話機本体に載置するハンドセットの保持構造であって、前記電話機本体の筐体は、前記ハンドセットを保持する部位に、前記ハンドセットの落下を防止する壁掛チップと、自筐体に前記壁掛チップを回転自在に取り付ける壁掛チップ取付軸と、前記壁掛チップ取付軸を支点として、前記ハンドセットを保持する前記壁掛チップの先端部を自筐体から突出する方向に加圧するスプリングまたは板バネと、を有し、前記ハンドセットは、前記壁掛チップと係合する部位に、前記壁掛チップの先端部を受け入れる孔である壁掛チップ受入孔を有し、前記ハンドセットを前記電話機本体に載置する際の前記ハンドセットの加圧によって、前記壁掛チップの先端部が前記電話機本体の筐体内側に引っ込む方向に前記壁掛チップが回転移動し、前記ハンドセットを前記電話機本体に載置した状態において、前記スプリングまたは板バネの加圧によって、前記壁掛チップの先端部が前記電話機本体の筐体から突出する方向に前記壁掛チップが回転移動する構造であることを特徴とする。
【考案の効果】
【０００７】
本考案によれば、ハンドセットを電話機本体に載置する際に、電話機本体から突出している壁掛チップが電話機本体内部に移動するので、ハンドセットによる壁掛チップへの加圧または壁掛チップからの抗力に起因する壁掛チップまたはハンドセットの破損を防止できる効果がある。
また、ハンドセットを電話機に載置する際の壁掛チップの抗力が小さいので、ハンドセットの電話機への載置が円滑であると共に、電話機本体を机上に水平に設置した状態でも、ハンドセットを脱着する際の違和感が小さいという効果がある。
【図面の簡単な説明】
【０００８】
【図１】本考案による一実施例の筐体の斜視図
【図２】筐体１と壁掛チップ３とスプリング４の位置関係を示す断面図
【図３】ハンドセット２の壁掛け載置動作の初期状態を示す断面図
【図４】ハンドセット２の壁掛け載置動作の途中状態を示す断面図
【図５】ハンドセット２を壁掛け載置している状態を示す断面図
【図６】ハンドセット２を壁掛けから外す状態を示す断面図
【考案を実施するための形態】
【実施例】
【０００９】
図１は本考案による一実施例の構成を示す筐体の斜視図であり、電話機本体を壁に掛けて使用する電話機本体に載置するハンドセットの保持構造における各部品の分解状態を斜視図で示している。１は本考案による筐体、１ａはハンドセット２を載置した時に受ける筐体１の底面部、２はハンドセット、３は壁掛チップ、４はスプリングである。壁掛チップ３およびスプリング４は筐体１に取り付けられて本考案を構成するものである。尚、スプリング４は弾性を有していればよく、スプリング形状であることを限定せず、板バネ等のようなものであってもよい。
【００１０】
図２は、図１における筐体１と壁掛チップ３とスプリング４を組立てた場合の位置関係を示す断面図である。壁掛チップ３は、筐体１に設けられた壁掛チップ取付部１ｂに回転自在に取り付けられ、回転軸３ａを支点にして筐体１の内側に引っ込む方向または突出する方向に回転移動する。また壁掛チップ３の先端部３ｂは、後述するハンドセット２の壁掛チップ受入孔２ｂと係合する。スプリング４は筐体１と壁掛チップ３との間に係合し、回転軸３ａを支点にして壁掛チップの先端部３ｂを筐体１から突出する方向に加圧する。
【００１１】
図３は、ハンドセット２の壁掛け載置動作の初期状態を示す断面図である。２ａはハンドセット２の受話側の下端部、２ｂはハンドセット２の壁掛チップ受入孔である。この状態においては、ハンドセット２の受話側の下端部２ａと壁掛チップ３の先端部３ｂとが接触しているがまだ壁掛チップ３がハンドセット２により加圧されていない状態を示している。この状態を初期状態として、壁掛チップ３の先端部３ｂとハンドセット２の壁掛チップ受入孔２ｂとが係合することで筐体１からの落下を防止する構造について以降の図面を用いて説明する。
【００１２】
図４は、ハンドセット２の壁掛け載置動作の途中状態を示す断面図である。この状態においては、壁掛チップ３がハンドセット２により筐体１の方向に加圧されると、接触しているハンドセット２の受話側の下端部２ａと壁掛チップ３の先端部３ｂが摺動し、さらにハンドセット２を筐体１に向かって押し込むと、壁掛チップ３が回転軸３ａを支点にして筐体１の内側に引っ込む方向に回転移動を始め、同時にスプリング４は収縮する。このように、ハンドセット２が壁掛チップ３と接触した時の衝撃を逃がすことでハンドセット２及び壁掛チップ３の破損を防止することが出来る。
【００１３】
図５は、ハンドセット２を壁掛け載置している状態を示す断面図である。この状態においては、ハンドセット２と筐体１の底面部１ａが接触し、壁掛チップ３の先端部３ｂとハンドセット２の壁掛チップ受入孔２ｂとが係合した状態を示している。ハンドセット２の受話側の下端部２ａと壁掛チップ３の先端部３ｂが所定の位置まで摺動すると接触が外れることにより、スプリング４が伸長する事による加圧で壁掛チップ３が回転軸３ａを支点にして筐体１から突出する方向に回転移動を始める。これにより、壁掛チップ３の先端部３ｂとハンドセット２の壁掛チップ受入孔２ｂとが係合し、ハンドセット２を筐体１に保持する事が出来る。
【００１４】
図６は、壁掛け載置している電話機のハンドセット２を外す状態を示す断面図である。この状態においては、ハンドセット２を外す方向に加圧された場合に、壁掛チップ３は回転軸３ａを支点にして筐体１から突出する方向に回転移動を始め、スプリング４は伸長する方向に加圧される。そして所定の位置で壁掛チップ３の先端部３ｂとハンドセット２の壁掛チップ受入孔２ｂの係合が外れることで、壁掛チップ３は回転軸３ａを支点にして筐体１から引っ込む方向に回転移動を始め、元の位置に戻る。
【００１５】
以上で、本考案の構造について説明した。また、本考案は電話機本体を壁に掛けて使用する電話機本体として説明したが、壁掛けの用途だけに限定されることはなく、机上に水平設置して使用する場合でも問題なく使用する事ができ、壁掛け、水平の兼用が可能であることを付記する。
【符号の説明】
【００１６】
１        筐体
１ａ      筐体１の底面部
１ｂ      壁掛チップ取付部
２        ハンドセット
２ａ      ハンドセット２の受話側の下端部
２ｂ      ハンドセット２の壁掛チップ受入孔
３        壁掛チップ
３ａ      壁掛チップ３の回転軸
３ｂ      壁掛チップ３の先端部
４        スプリング
【図１】
0003187379.tif 000003
【図２】
0003187379.tif 000004
【図３】
0003187379.tif 000005
【図４】
0003187379.tif 000006
【図５】
0003187379.tif 000007
【図６】
0003187379.tif 000008